(57)【要約】【課題】外から見てもチップが目立たない自然な仕上がりを実現し、また、複数回にわたって使用でき、さらに、チップからエクステンションがずれ落ちないチップ付エクステンションを提供することを目的とする。【解決手段】エクステンション２０と、エクステンション２０が複数結び付けられるチップ３０とからなるチップ付エクステンション１を提供する。複数のエクステンション２０をチップ３０に結び付けることにより、外から見てもチップが目立たないので、取り付けたときに自然な仕上がりを実現できる。また、複数回にわたって使用でき、エクステンション２０はチップ３０からずれ落ちることはない。【選択図】  図４
2004323985.tif 000002
【特許請求の範囲】
【請求項１】
エクステンションと、前記エクステンションが複数結び付けられるチップとからなることを特徴とするチップ付エクステンション。
【請求項２】
前記チップが円形状を施したＯチップであることを特徴とする請求項１に記載のチップ付エクステンション。
【請求項３】
前記チップがＣ形状を施した切り欠き部を有するＣチップであることを特徴とする請求項１に記載のチップ付エクステンション。
【請求項４】
前記チップ付エクステンションの作成方法であって、前記エクステンションと、前記エクステンションが複数結び付けられるチップと、前記エクステンション及び前記チップを結び付けるニードルとを用い、
前記チップ内に前記ニードルを入れる工程と、前記エクステンションを前記ニードルに備えられている針穴に入れる工程と、前記ニードルを前記チップ内から引き抜く工程と、引き抜いた側にできる前記エクステンションの輪の中に逆側の二股に分かれたエクステンションを入れる工程と、エクステンションをチップに結び付ける工程とを備えたことを特徴とするチップ付エクステンションの作成方法。
【請求項５】
請求項２に記載のチップ付エクステンションの髪への取り付け方であって、前記チップ付エクステンションの前記Ｏチップ内に前記ニードルを入れる工程と、前記ニードルに備えられている針穴に髪を入れる工程と、前記ニードルを前記Ｏチップ内から引き抜く工程と、前記Ｏチップ内に前記髪を通す工程と、前記Ｏチップをペンチで潰す工程とを備えたことを特徴とするチップ付エクステンションの髪への取り付け方。
【請求項６】
請求項３に記載のチップ付エクステンションの髪への取り付け方であって、Ｃチップ付エクステンションの切り欠き部に髪を入れる工程と、前記Ｃチップをペンチで潰す工程とを備えたことを特徴とするチップ付エクステンションの髪への取り付け方。
【発明の詳細な説明】
【０００１】
【発明の属する技術分野】
本発明はエクステンションに関するものであり、特にエクステンションにチップを結び付けたチップ付エクステンションとその作成方法ならびにチップ付エクステンションの髪への取り付け方に関する。
【０００２】
【従来の技術】
エクステンションとは、アメリカから上陸したヘアアレンジスタイルで、髪を長く見せる「つけ毛」のことである。エクステンションには、髪でできている人毛のエクステンションや合成繊維で作られたファイバーのエクステンションがある。もともとのルーツは、アフリカや中南米のお洒落な女の子達が発端ということもあり、日本でもドレッドやブレイズなどの「ブラックビューティスタイル」がまず定着した。そして、最近では、ドレッド、ブレイズはもちろん、ヒッピー、ギャル、お姉系等、様々なスタイルにあわせてアレンジも自由自在となり、自分の髪を染めることなく、気軽にかつ簡単にワンポイントが加えられるものとして利用されている。
【０００３】
従来、エクステンションの取り付けには専用の接着アイテムが必要であり、一般的には、グルーと呼ばれるボンドと、グルーを熱で溶かしてエクステンションを接着するグルーガンと、糸やシリコンパッドとを用いて取り付けられている。
【０００４】
しかしながら、これら専用の接着アイテムを用いたエクステンションの取り付けは、髪を上下に分け、その間にエクステンションを入れて、ボンドの接着を上と下で最低２回行い、さらに糸やシリコンパッドを用いて補強する必要がある。これにより、一つのエクステンションの取り付けが完了するが、素人には困難な作業であり、複数のエクステンションを取り付けるには、熟練した人でも時間がかかってしまうという問題がある。さらに、ボンドの量を間違えたときには見た目が悪くなってしまうという問題がある。つまり、適量以上のボンドをつけると、エクステンションと髪との間に大きなダマができてしまい、適量以下のボンドをつけると、エクステンションと髪との接着がうまくいかず、ずれ落ちてしまう問題がある。これらの他にも、ボンドはグルーガンの高熱により溶かすので、溶けたボンドやグルーガンが皮膚に触れると、やけどをしてしまう恐れもある。また、一方でボンドにより取り付けられたエクステンションを取り外す作業は、取り付ける作業よりも困難なものである。
【０００５】
このように、ボンドやグルーガン等の専用の接着アイテムを用いたエクステンションの取り付けには、複数の問題が生じている。本出願人はこれら専用の接着アイテムを用いずに、素人でも安全、簡単、確実かつ時間を短縮してエクステンションの取り付けができ、さらに、エクステンションの取り外しも簡単に行えるエクステンションの髪への取り付け方法を先に出願している（特願２００２−３２０７６６）。
【０００６】
以下、本出願人が先に出願した特願２００２−３２０７６６について図面を用いて説明する。図１０はその構成を示すものである。バー１１０は、ニードル１１１と把持部１１２とからなる。ニードル１１１の先端には髪を引っ掛ける引っ掛け部１１３と、操作者の操作により開閉自在なロック部１１４と、引っ掛け部１１３とロック部１１４との間の針穴１１５とを備えている。チップ１３０は、円形状を施したＯチップであり、チップ１３０はペンチ１４０により簡単につぶれ、簡単に復元できる金属を用いる。ここではスタニウムを使用する。スタニウムは変形させるのが簡単で、かつ形状記憶力も高い金属である。エクステンション１２０は、髪でできている人毛や、合成繊維で作った人工毛を用いる。図においてエクステンション１２０は一端をボンドで接着した接着部１２１を備えているが、接着部１２１を備えていないものであっても良い。ペンチ１４０は把持部１４１の操作で狭持部１４２により挟持する一般的に使用されているペンチを用いる。図において狭持部１４２はチップ１３０を潰すためにほぼ平らに形成されているが、狭持部１４２は、この箇所に左右対称の小さな溝（図示しない）を形成しても良い。これにより、把持部１４１を強く握ってもチップ１３０が潰れすぎることはない。
【０００７】
つづいて、図１１を用いてエクステンションを髪へ取り付ける手順について説明する。はじめに、バー１１０のニードル１１１が備えられている側からチップ１３０内に挿入し（図１１（ａ））、ニードル１１１のロック部１１４を開け、針穴１１５に入る程度の髪１００を束にして入れる（図１１（ｂ））。入れた後、ロック部１１４を閉じ、髪１００を針穴１１５に入れた状態でニードル１１１をチップ１３０内から引き抜く（図１１（ｃ））。引き抜くことで髪１００はチップ１３０内を通る（図１１（ｄ））。髪１００をチップ１３０内に通した後、ロック部１１４を開けて髪１００を針穴１１５から取り出す。なお、引き抜く際、ロック部１１４とチップ１３０の内壁は接触するが、ロック部１１４の構造上、ロック部１１４が開いて髪１００が針穴１１５から外れることはない。これにより、髪１００をチップ１３０内にきれいに通すことができる。
【０００８】
次に、エクステンション１２０をチップ１３０内に入れる（図１１（ｅ））。エクステンション１２０に接着部１２１がある場合には、接着部１２１のある側をチップ１３０内に入れる。一方、エクステンション１２０に接着部１２１がない場合には、図１１（ａ）乃至（ｃ）に示した要領でバー１１０を用いてエクステンション１２０をチップ１３０内に通し、図１１（ｅ）に示すような状態にする。その後、ペンチ１４０でチップ１３０を潰すことにより（図１１（ｆ））、チップ１３０はエクステンション１２０及び髪１００を挟持する（図１１（ｇ））。以上の工程により、エクステンション１２０の髪１００への取り付けは完了する。なお、エクステンション１２０の髪１００からの取り外しは、エクステンション１２０を挟持しているチップ１３０をペンチ１４０で復元させることにより簡単に取り外すことができる。
【０００９】
上記した通り、本出願人が先に出願したエクステンションの髪への取り付け方法により、ボンドやグルーガン等の専用の接着アイテムを用いずに、素人でも安全、簡単、確実かつ時間を短縮してエクステンションの取り付けができ、エクステンションの取り外しも簡単に行うことができる。
【００１０】
【発明が解決しようとする課題】
しかしながら、上記エクステンションの髪への取り付けは、エクステンションをチップ内に通して髪に取り付けているので、外から見るとチップが目立ってしまい、エクステンションの髪への取り付けが不自然であるという問題がある。また、チップはペンチにより直接接触して潰されるので、チップを複数回にわたって使用するとチップの形状記憶力が損なわれ、破損したり、塗装が剥がれたりするので、複数回使用することができないという問題がある。さらに、図１１（ｇ）を見ても解るように、エクステンションはチップにより挟持され固定されているが、このような固定の仕方だとエクステンションはチップから次第にずれ落ちる場合があるという問題がある。
【００１１】
本発明はこのような問題に鑑み、外から見てもチップが目立たない自然な仕上がりを実現し、また、複数回にわたって使用でき、さらに、チップからエクステンションがずれ落ちないチップ付エクステンションを提供することを目的とする。そして、チップ付エクステンションを提供するに伴い、チップ付エクステンションの作成方法とチップ付エクステンションの髪への取り付け方を提供することを目的とする。
【００１２】
【課題を解決するための手段】
本発明の請求項１に記載のチップ付エクステンションは、エクステンションと、エクステンションが複数結び付けられるチップとからなるものである。複数のエクステンションをチップに結び付けることにより、外から見てもチップが目立たないので、取り付けたときに自然な仕上がりを実現できる。また、複数回にわたって使用でき、エクステンションはチップからずれ落ちることはない。
【００１３】
また、本発明の請求項２に記載のチップ付エクステンションは、チップが円形状を施したＯチップであることを特徴とするものである。Ｏチップ付エクステンションを用いることにより、Ｏチップ付エクステンション内に髪をとおして固定するので、髪への取り付けが確実であり、自然な仕上がりを実現できる。
【００１４】
また、本発明の請求項３に記載のチップ付エクステンションは、チップがＣ形状を施した切り欠き部を有するＣチップであることを特徴とするものである。Ｃチップ付エクステンションを用いることにより、切り欠き部に髪を入れて固定するだけなので、髪への取り付けが簡単であり、自然な仕上がりを実現できる。
【００１５】
また、本発明の請求項４に記載のチップ付エクステンションの作成方法は、エクステンションと、エクステンションが複数結び付けられるチップと、エクステンション及びチップを結び付けるニードルとを用い、チップ内にニードルを入れる工程と、エクステンションをニードルに備えられている針穴に入れる工程と、ニードルをチップ内から引き抜く工程と、引き抜いた側にできるエクステンションの輪の中に逆側の二股に分かれたエクステンションを入れる工程と、エクステンションをチップに結び付ける工程とを備えたものである。これにより、外から見てもチップが目立たないので、取り付けたときに自然な仕上がりを実現できる。また、複数回にわたって使用でき、さらに、チップからエクステンションがずれ落ちることはないチップ付エクステンションを作成することができる。
【００１６】
また、本発明の請求項５に記載のチップ付エクステンションの髪への取り付け方は、請求項２に記載されているチップ付エクステンションのＯチップ内にニードルを入れる工程と、ニードルに備えられている針穴に髪を入れる工程と、ニードルをＯチップ内から引き抜く工程と、Ｏチップ内に髪を通す工程と、Ｏチップをペンチで潰す工程とを備えたものである。これにより、Ｏチップ付エクステンション内に髪をとおして固定するので、髪への取り付けが確実であり、自然な仕上がりを実現できる。
【００１７】
また、本発明の請求項６に記載のチップ付エクステンションの髪への取り付け方は、請求項３に記載されているＣチップ付エクステンションの切り欠き部に髪を入れる工程と、Ｃチップをペンチで潰す工程とを備えたものである。これにより、切り欠き部に髪を入れて固定するだけなので、髪への取り付けが簡単であり、自然な仕上がりを実現できる。
【００１８】
【発明の実施の形態】
（実施の形態１）
以下、本発明の第１の実施の形態を図１乃至図６に基いて説明する。本実施の形態ではＯチップを使用する。図１において、バー１０は、髪やエクステンション２０を掛けるためのニードル１１と把持部１２とからなる。ニードル１１の先端には髪やエクステンション２０を引っ掛ける引っ掛け部１３と、操作者の操作により開閉自在なロック部１４と、引っ掛け部１３とロック部１４との間の針穴１５とを備えている。Ｏチップ３０は円形状に施されたＯチップであり、Ｏチップ１３０はペンチにより簡単につぶれ、簡単に復元できる金属を用いる。ここではスタニウムを使用する。スタニウムは変形させるのが簡単で、かつ形状記憶力も高い金属である。エクステンション２０は、髪でできている人毛や、合成繊維で作った人工毛を用いる。なお、上記従来技術の説明では、エクステンションの一端はボンドで接着した接着部１２１を備えるものであったが、本実施の形態のエクステンション２０には接着部は備えていない。以上、バー１０を用いて、エクステンション２０をＯチップ３０に結び付けることによりＯチップ付エクステンションを作成する。
【００１９】
以下、図２を用いてＯチップ付エクステンションを作成する手順について説明する。はじめに、バー１０のニードル１１が備えられている側からＯチップ３０内に挿入する（図２（ａ））。ニードル１１のロック部１４を開け、針穴１５にエクステンション２０を入れる（図２（ｂ））。入れた後、ロック部１４を閉じ、エクステンション２０を針穴１５に入れた状態でニードル１１をＯチップ３０内から引き抜く（図２（ｃ））。なお、引き抜く際、ロック部１４とＯチップ３０の内壁は接触するが、ロック部１４の構造上、ロック部１４が開いてエクステンション２０が針穴１５から外れることはない。またこの時、エクステンション２０はＯチップ３０内を通るが、完全には通さず、Ｏチップ３０付近に少しだけ引き出して小さな輪を作る（図２（ｄ））。その後、引き抜いた側にできる小さな輪の中に逆側の二股に分かれたエクステンション２０を入れて引き出し（図２（ｅ））、Ｏチップ３０に結び付ける（図２（ｆ））。以上の工程により、一束のエクステンション２０のＯチップ３０への結び付けが完了する（図３（ａ））。そしてこれを複数回行うことにより、図３（ｂ）に示すような外から見てもＯチップが目立たないＯチップ付エクステンションが作成でき、エクステンション２０はチップ３０からずれ落ちることはない。そして複数のエクステンション２０をチップ３０に取り付けることにより、エクステンション２０同士がお互いに絡まり、チップ３０への結び付きは一層強固なものとなる。なお、図３（ａ）及び（ｂ）に示すエクステンション２０の向きを逆向きにすると、図４（ａ）及び（ｂ）に示すＯチップ付エクステンションとなる。
【００２０】
次に、上記のように作成されたＯチップ付エクステンションを髪へ取り付ける手順について図５及び図６を用いて説明する。図において、チップ付エクステンション１は図２乃至図４にて示したものであり、バー１０は図１で示したものであり、ペンチ４０は図１０で示したものである。各構成については上記で説明した通りであるので重複する説明は省略する。はじめに、バー１０のニードル１１が備えられている側からＯチップ付エクステンション１のＯチップ３０内に挿入する（図６（ａ））。ニードル１１のロック部１４を開け、針穴１５に入る程度の髪１００を束に取って入れる（図６（ｂ））。入れた後、ロック部１４を閉じ、髪１００を針穴１５に入れた状態でニードル１１をＯチップ３０内から引き抜く（図６（ｃ））。引き抜くことで髪１００はＯチップ内を通る。髪１００をＯチップ３０内に完全に通した後、ロック部１４を開けて髪１００を針穴１５から取り出す（図６（ｄ））。なお、引き抜く際、ロック部１４とＯチップ３０の内壁は接触するが、上記したようにロック部１４の構造上、ロック部１４が開いて髪１００が針穴１５から外れることはない。これにより、髪１００をＯチップ付エクステンション１内にきれいに通すことができる。また、図６（ｄ）に示すように、引き出された髪１００はエクステンション２０に隠れた状態となっている。そしてエクステンション２０を介した状態でＯチップ３０をペンチの挟持部４２で潰すと（図６（ｅ））、Ｏチップ付エクステンション１のＯチップ３０は髪１００を挟持する。以上の工程により、Ｏチップ付エクステンション１の髪への取り付けが完了する（図６（ｆ））。Ｏチップ３０はペンチの挟持部４２と直接接触していないので、ペンチ４０の圧力は直接Ｏチップ３０には伝わらない。このため、Ｏチップ３０の破損を防ぎ、また、塗装が剥がれるのを防ぐことができる。これにより、Ｏチップ３０の形状記憶力が損なわれず、Ｏチップ付エクステンション１を複数回にわたって使用することができる。なお、Ｏチップ付エクステンション１の髪１００からの取り外しは、髪１００を挟持しているＯチップ３０を挟持部４２で復元させることにより簡単に取り外すことができる。
【００２１】
（実施の形態２）
以下、本発明の第２の実施の形態を図７乃至図９に基いて説明するが、第１の実施の形態と異なる点はＯチップの代わりにＣチップを使用したことのみであるので、重複する説明は省略する。
【００２２】
Ｃチップ３１は切り欠き部３２を有するＣ形状に施されたチップであり、その材質は第１の実施の形態と同様スタニウムとする。また、Ｃチップ付エクステンションを作成する手順については、図２で示したＯチップ付エクステンションの作成手順と同様の手順を行うことにより、エクステンション２０をＣチップ３１に結び付けることができる（図２（ａ）乃至（ｆ）参照）。しかし、Ｃチップ付エクステンションは切り欠き部３２を有するものであるので、Ｃチップ付エクステンション１’の作成は、その手順毎にエクステンション２０が切り欠き部３２から抜け落ちないように注意を払いながら結び付ける必要がある。この手順を複数回行うことにより、図８に示すようなＣチップ付エクステンション１’が作成できる。
【００２３】
次に、Ｃチップ付エクステンション１’を髪へ取り付ける手順について図９を用いて説明する。Ｃチップ付エクステンション１’の髪への取り付けは至って簡単であり、Ｃチップ付エクステンション１’は、エクステンション２０を取り付けたい場所でＣチップ３１に入る程度の髪１００を束に取って切り欠き部３２から入れた（図９（ａ））、この状態でＣチップ３１をペンチの挟持部４２で潰すだけで（図９（ｂ））、Ｃチップ付エクステンション１’のＣチップ３１は髪１００を挟持し、Ｃチップ付エクステンション１’の髪への取り付けが完了する（図９（ｃ））。Ｃチップ３１はペンチの挟持部４２と直接接触していないので、ペンチ４０の圧力は直接Ｃチップ３１には伝わらない。このため、Ｃチップ３０の破損を防ぎ、また、塗装が剥がれるのを防ぐことができる。これにより、Ｃチップ３１の形状記憶力が損なわれず、Ｃチップ付エクステンション１を複数回にわたって使用することができる。なお、Ｃチップ付エクステンション１’の髪からの取り外しは、髪１００を挟持しているＣチップ３１を挟持部４２で復元させることにより簡単に取り外すことができる。
【００２４】
【発明の効果】
以上、本発明のチップ付エクステンションによれば、外から見てもチップが目立たず、取り付けたときに自然な仕上がりを実現し、また、複数回にわたって使用でき、さらに、チップからエクステンションがずれ落ちることはない。
【００２５】
また、本発明のチップ付エクステンションの作成方法によれば、外から見てもチップが目立たず、取り付けたときに自然な仕上がりを実現でき、また、複数回にわたって使用でき、さらに、チップからエクステンションがずれ落ちることがないチップ付エクステンションを作成することができる。
【００２６】
さらに、本発明のチップ付エクステンションの髪への取り付け方によれば、Ｏチップ付エクステンションを使用したときには、Ｏチップ付エクステンション内に髪をとおして固定するので、髪への取り付けが確実であり、また、Ｃチップ付エクステンションを使用したときには、切り欠き部に髪を入れて固定するだけなので、髪への取り付けが簡単である。そして、Ｏチップ及びＣチップ付エクステンションの髪への取り付けはどちらも自然な仕上がりを実現できる。
【図面の簡単な説明】
【図１】本発明のＯチップ付エクステンションを作成する際に用いる各構成を示す図
【図２】本発明のＯチップ付エクステンションまたはＣチップ付エクステンションを作成する手順について示す図
【図３】（ａ）本発明の１つのエクステンションをＯチップに結び付けた様子を示す図（ｂ）本発明の複数のエクステンションをＯチップに結び付けた様子を示す図
【図４】（ａ）図３（ａ）に示すエクステンションの向きを逆にした様子を示す図
（ｂ）図３（ｂ）に示すエクステンションの向きを逆にした様子を示す図
【図５】本発明のＯチップ付エクステンションを髪に取り付ける際に用いる各構成を示す図
【図６】本発明のＯチップ付エクステンションを髪に取り付ける手順について示す図
【図７】本発明のＣチップ付エクステンションを作成する際に用いる各構成を示す図
【図８】本発明のＣチップ付エクステンションを髪に取り付ける際に用いる各構成を示す図
【図９】本発明のＣチップ付エクステンションを髪に取り付ける手順について示す図
【図１０】従来のエクステンションを髪に取りつける際に用いる各構成を示す図
【図１１】従来のエクステンションの髪への取り付け方について示す図
【符号の説明】
１  Ｏチップ付エクステンション（チップ付エクステンション）
１’    Ｃチップ付エクステンション（チップ付エクステンション）
１０  バー
１１  ニードル
１２  把持部
１３  引っ掛け部
１４  ロック部
１５  針穴
２０  エクステンション
３０  Ｏチップ（チップ）
３１  Ｃチップ（チップ）
３２  切り欠き部
４０  ペンチ
４１  把持部
４２  挟持部
１００  髪
【図１】
2004323985.tif 000003
【図２】
2004323985.tif 000004
【図３】
2004323985.tif 000005
【図４】
2004323985.tif 000006
【図５】
2004323985.tif 000007
【図６】
2004323985.tif 000008
【図７】
2004323985.tif 000009
【図８】
2004323985.tif 000010
【図９】
2004323985.tif 000011
【図１０】
2004323985.tif 000012
【図１１】
2004323985.tif 000013